(57)【要約】【課題】空間を明るく見せることが可能な発光パネル及び照明器具を提供する。【解決手段】実施形態によれば、発光パネルは、発光層を含む有機層と；前記有機層の一方の面に設けられ、透明な第１の電極と；前記有機層の他方の面に設けられた第２の電極と；を具備している。前記第２の電極は、不透明な第１の金属膜部と、前記第１の金属膜部よりも膜厚が薄く且つ高い光透過性を有する第２の金属膜部と、を有する。【選択図】図１
2015012155.tif 000002
【特許請求の範囲】
【請求項１】
発光層を含む有機層と；
前記有機層の一方の面に設けられ、透明な第１の電極と；
前記有機層の他方の面に設けられ、不透明な第１の金属膜部と、前記第１の金属膜部よりも膜厚が薄く且つ高い光透過性を有する第２の金属膜部と、を有する第２の電極と；
を具備した発光パネル。
【請求項２】
前記第１の金属膜部は、波長５５０ｎｍにおける透過率が２０％以上、前記第２の金属膜部は、波長５５０ｎｍにおける透過率が２０％以下である請求項１記載の発光パネル。
【請求項３】
請求項１または２に記載の発光パネルと；
発光層を含む有機層の一方の面側が光透過性を有し、他方の面側が不透明な不透明発光パネルと；
前記発光パネル及び前記不透明発光パネルを保持する器具本体と；
を具備し、
前記発光パネルにおける前記第１の金属膜部が設けられた領域と、前記不透明発光パネルとが組み合わされて不透明領域が形成され、
前記器具本体は、前記不透明領域に重なって設けられ、
前記発光パネルにおける前記第２の金属膜部が設けられた領域の少なくとも一部は、前記器具本体に重なっていない照明器具。
【請求項４】
発光層を含む有機層の両面側が光透過性を有する透明発光パネルと；
発光層を含む有機層の一方の面側が光透過性を有し、他方の面側が不透明な不透明発光パネルと；
前記透明発光パネル及び前記不透明発光パネルを保持する器具本体と；
を具備した照明器具。
【請求項５】
前記器具本体は、前記不透明発光パネルに重なって設けられ、
前記透明発光パネルの少なくとも一部の領域は、前記器具本体に重なっていない請求項４記載の照明器具。
【請求項６】
前記透明発光パネルに重なる位置に設けられ、前記透明発光パネルを通して外部情報を受信可能な受信部をさらに具備した請求項４または５に記載の照明器具。
【請求項７】
前記透明発光パネルは、片側の面が発光する片面発光パネルであり、
前記受信部は、前記片面発光パネルの非発光面側に配置されている請求項６記載の照明器具。
【発明の詳細な説明】
【技術分野】
【０００１】
本発明の実施形態は、発光パネル及び照明器具に関する。
【背景技術】
【０００２】
照明器具の光源として、有機エレクトロルミネッセンスを利用したＯＬＥＤ（Organic Light-Emitting Diode）が提案されている。一般的なＯＬＥＤは、光の取り出し面側の電極としてＩＴＯ（Indium Tin Oxide）などの透明電極が用いられ、裏面側の電極としてアルミニウムや銀などの不透明な金属電極が用いられている。発光層から放射され裏面側に向かった光は金属電極で反射して、透明電極側から取り出される。この構造の場合、裏面側には光が回り込まず、空間が暗く見えてしまう。
【先行技術文献】
【特許文献】
【０００３】
【特許文献１】特許第４６３５８６１号公報
【発明の概要】
【発明が解決しようとする課題】
【０００４】
実施形態によれば、空間を明るく見せることが可能な発光パネル及び照明器具を提供する。
【課題を解決するための手段】
【０００５】
実施形態によれば、発光パネルは、発光層を含む有機層と；前記有機層の一方の面に設けられ、透明な第１の電極と；前記有機層の他方の面に設けられた第２の電極と；を具備している。前記第２の電極は、不透明な第１の金属膜部と、前記第１の金属膜部よりも膜厚が薄く且つ高い光透過性を有する第２の金属膜部と、を有する。
【発明の効果】
【０００６】
実施形態によれば、一方の面側からの放射光量の低下を抑えつつ、他方の面側も照らすことで、空間を明るく見せることが可能となる。
【図面の簡単な説明】
【０００７】
【図１】第１実施形態の発光パネルの模式図。
【図２】第１実施形態の発光パネルを用いた照明器具の模式図。
【図３】第１実施形態の発光パネルの他の具体例の模式図。
【図４】第２実施形態の照明器具の模式図。
【図５】第３実施形態の照明器具の模式図。
【図６】第４実施形態の照明器具の模式図。
【図７】第４実施形態の照明器具に用いられる発光パネルの模式図。
【図８】Ａｇ膜の膜厚と光透過率との関係を示すグラフ。
【発明を実施するための形態】
【０００８】
以下、図面を参照し、実施形態について説明する。なお、各図面中、同じ要素には同じ符号を付している。
【０００９】
（第１実施形態）
図１（ａ）は、第１実施形態の発光パネル１１の模式断面図である。
【００１０】
発光パネル１１は、有機層３０と、有機層３０の一方の面に設けられた第１の電極２１と、有機層３０の他方の面に設けられた第２の電極２２とを有する。有機層３０、第１の電極２１及び第２の電極２２は、基板２０上に支持されている。有機層３０は、発光層３２を含む。
【００１１】
基板２０は、透明基板であり、例えばガラス基板である。あるいは、基板２０は、透明樹脂基板であってもよい。
【００１２】
本明細書において、「透明」とは、発光層３２の発光光に対して透過性を有することを表し、光透過率が１００％であることには限らない。特に、波長５５０ｎｍにおける透過率が２０％以上、望ましくは３０％以上であることを意味する。発光層３２は、可視光を発光する。また、「透明」とは、リモートコントローラの送信信号や、人感センサの検知対象光などに対する透過性を有することも表す。例えば、「透明」とは、赤外線に対して透過性を有することも表す。
【００１３】
「不透明」とは、発光層３２の発光光に対して遮光性もしくは反射性を有することを表す。「不透明」とは、発光層３２の発光光に対する透過率が０％であることには限らず、「透明」な領域よりも透過率が相対的に低い場合も表す。特に、波長５５０ｎｍにおける透過率が２０％以下、望ましくは１５％以上であることを意味する。
【００１４】
図１（ａ）に示すように、基板２０上に、第１の電極２１が設けられている。第１の電極２１は、透明電極であり、例えば、ＩＴＯ（Indium Tin Oxide）、ＩＺＯ（Indium Zinc Oxide）、導電性高分子などからなる。
【００１５】
第１の電極２１上に、有機層３０が設けられている。有機層３０は、発光層３２と、正孔輸送層３１と、電子輸送層３３とを含む。第１の電極２１上に正孔輸送層３１が設けられ、正孔輸送層３１上に発光層３２が設けられ、発光層３２上に電子輸送層３３が設けられている。
【００１６】
電子輸送層３３上には、第２の電極２２が設けられている。また、第２の電極２２は、基板２０の表面の一部にも設けられている。第２の電極２２は、基板２０の表面から有機層３０の上面にかけて、基板２０の表面と有機層３０の上面との間の段差を被覆するように連続して設けられている。
【００１７】
第２の電極２２と有機層３０の側面との間、および第２の電極２２と第１の電極２１の端部との間には、絶縁膜２６が設けられている。
【００１８】
基板２０に対して、透明封止部材２４が封止体２５を介して重ねられている。有機層３０、第１の電極２１及び第２の電極２２を含む積層体は、基板２０と透明封止部材２４との間に封止されている。
【００１９】
封止部材２４は、ガラス基板または透明樹脂である。封止体２５は、例えば樹脂からなり、基板２０と封止部材２４との間の領域の周囲に連続して設けられている。
【００２０】
次に、第２の電極２２の詳細について説明する。  
図１（ｂ）は、有機層３０上の第２の電極２２の模式上面図である。
【００２１】
第２の電極２２は、金属膜であり、第１の金属膜部２２ａと、第２の金属膜部２２ｂとを有する。第１の金属膜部２２ａと第２の金属膜部２２ｂとは、同じ金属膜で一体に設けられているが、膜厚が相対的に異なる。
【００２２】
第２の金属膜部２２ｂの膜厚は、第１の金属膜部２２ａの膜厚よりも薄い。第１の金属膜部２２ａは、発光層３２の発光光をほとんど透過させない厚みを有し、第１の金属膜部２２ａが設けられた領域は、不透明領域となる。
【００２３】
第２の金属膜部２２ｂは、第１の金属膜部２２ａよりも薄いことから、第１の金属膜部２２ａよりも光透過率が高く、発光層３２の発光光を透過させる。第２の金属膜部２２ｂが設けられた領域は、透明領域となる。
【００２４】
第２の電極２２は、例えば、銀（Ａｇ）膜、またはアルミニウム（Ａｌ）膜である。
【００２５】
図８は、Ａｇ膜の膜厚と光透過率との関係を示すグラフである。  
横軸は、波長（ｎｍ）を、縦軸は、透過率（％）を表す。
【００２６】
例えばＡｇ膜の膜厚を２０ｎｍ以下にすることで、Ａｇ膜を可視光に対して透明な膜とすることができる。経験的には、Ａｇ膜の膜厚は３０ｎｍ以下であれば、波長５５０ｎｍ以下における透過率を２０％以上とすることができる。すなわち、第２の金属膜部２２ｂの膜厚は、３０ｎｍ以下が望ましい。なお、面方向に拡散させつつ電流を発光層に供給する電極としての機能は、膜厚が１０ｎｍもあれば十分である。一方、第１の金属膜部２２ａの膜厚は、３０ｎｍ以上が望ましい。ただし、膜厚は２００ｎｍ以上では電極としての機能は変化しなくなるため、第１の金属膜部２２ａの膜厚は２００ｎｍ以下が望ましい。
【００２７】
また、相対的に厚い第１の金属膜部２２ａは、第２の金属膜部２２ｂよりも、発光層３２の発光光に対して高い反射性を有する。したがって、発光層３２で発光し、第２の電極２２側に向かう光は、第２の電極２２の第１の金属膜部２２ａで反射して、透明電極である第１の電極２１を介して透明基板２０側に取り出される。
【００２８】
図１（ｂ）に示すように、第２の電極２２の第２の金属膜部２２ｂは、有機層３０の外周側に設けられ、その第２の金属膜部２２ｂの内側に第１の金属膜部２２ａが設けられている。第１の金属膜部２２ａは、有機層３０の面方向の中央部を含む領域に設けられ、その第１の金属膜部２２ａの周囲を、第２の金属膜部２２ｂが連続して囲んでいる。
【００２９】
次に、図２（ａ）は、図１（ａ）に示す発光パネル１１を用いた照明器具１の模式図である。
【００３０】
発光パネル１１における裏面側（封止部材２４側）に、器具本体４０が設けられている。器具本体４０は、発光パネル１１を保持する。
【００３１】
例えば、図２（ａ）において上側に天井面が位置する。照明器具１は、発光パネル１１の光取り出し面（基板２０側の面）を天井面の反対側の下方に向けた状態で、器具本体４０を介して天井面に取り付けられる。
【００３２】
図２（ｂ）は、照明器具１の模式平面図である。
【００３３】
第２の電極２２の第１の金属膜部２２ａが設けられた不透明領域８０を、図２（ｂ）においてクロスハッチングで表す。第２の電極２２の第２の金属膜部２２ｂが設けられた透明領域９０が、不透明領域８０の周辺に形成されている。透明領域９０は、不透明領域８０の周囲を連続して囲んでいる。
【００３４】
器具本体４０は、不透明領域８０に重なって設けられている。器具本体４０の外形サイズは、不透明領域８０内に収まる大きさであり、器具本体４０は透明領域９０には重なっていない。あるいは、器具本体４０の一部が不透明領域８０から透明領域９０側にはみ出していてもよい。いずれにしても、透明領域９０の少なくとも一部は器具本体４０に覆われず、透明領域９０から裏面側（天井側）に光を取り出すことができる。
【００３５】
第１の電極２１はＯＬＥＤにおける陽極として機能し、第２の電極２２は陰極として機能する。第１の電極２１に相対的に高電位を、第２の電極２２に相対的に低電位を印加すると、第１の電極２１から正孔輸送層３１を介して正孔が発光層３２に注入され、第２の電極２２から電子輸送層３３を介して電子が発光層３２に注入される。そして、正孔と電子が発光層３２で再結合し、その時に発生するエネルギーで発光層３２が発光する。
【００３６】
発光層３２で発光した光は第１の電極２１側及び第２の電極２２側に向かう。第１の電極２１側に向かった光は、透明電極である第１の電極２１及び透明基板２０を透過して、天井面の反対側の主光取り出し面側に放射される。
【００３７】
発光層３２から第２の電極２２側に向かった光は、不透明領域である第１の金属膜部２２ａで反射して、基板２０側に取り出される。このため、主光取り出し面側への放射光量を増大できる。
【００３８】
第１の金属膜部２２ａが設けられた不透明領域では片面発光となる。これに対して、第２の金属膜部２２ｂが設けられた透明領域では両面発光となる。
【００３９】
すなわち、発光層３２から第２の電極２２側に向かった光の一部は、第２の金属膜部２２ｂを透過して天井面側に取り出される。このとき、器具本体４０は、第２の金属膜部２２ｂが設けられた透明領域９０を覆っていないため、天井面側に向かった光は器具本体４０に遮られない。
【００４０】
すなわち、実施形態によれば、照明器具１の裏面側に別の光源を設置せずに、裏面側に光を出すことができ、天井面などの設置面を照らすことができる。これにより、間接照明効果により使用者がいる空間の明るさ感を増すことができるとともに、空間の広がりや奥行き感を創りあげることが可能となる。
【００４１】
なお、裏面側の第２の電極２２の全領域を透明電極にした両面発光構造とすることでも天井面側を照らすことができる。しかし、両面発光の場合、発光エネルギーの半分が、主光取り出し面の反対側に逃げて失われることになる。
【００４２】
これに対して、実施形態によれば、有機層３０の裏面側の全領域ではなく、一部の領域を透明領域９０（第２の金属膜部２２ｂ）としている。裏面側には、反射メタルとして機能する第１の金属膜部２２ａも設けられている。そのため、実施形態によれば、主光取り出し面側への放射光量の低下を抑えつつ、天井面などの設置面側も照らすことが可能となる。なお、主光取り出し面側で十分な光量を得つつ、演出性を高めるためには、不透明領域の面積は、透明領域の面積に対して０．０５倍〜４倍であるのが望ましい。不透明領域の面積は、透明領域の面積に対して１倍、つまり同等であるのが最適である。
【００４３】
また、第２の電極の一部を透明にするにあたっては、第２の電極の一部をＩＴＯやＩＺＯなどの透明電極にすることも考えられる。しかしながら、ＩＴＯやＩＺＯは通常スパッタ法により形成され、そのスパッタ時に有機層３０の上面がダメージを受ける懸念がある。
【００４４】
これに対して、実施形態によれば、金属膜の膜厚の相違により、第２の電極２２に透明部と不透明部とを混在させている。例えば、Ａｇ、Ａｌなどの金属膜が蒸着法で有機層３０の上面に成膜される。このため、第２の電極２２の形成時に、有機層３０にダメージがおよばない。
【００４５】
例えば、有機層３０の上面の全面に、まず薄い金属膜を形成する。その後、マスクを用いて、膜厚を厚いしたい部分にだけさらに金属膜を成膜する。これにより、有機層３０の上面上に、膜厚差を生じさせて金属膜を形成することができる。
【００４６】
なお、薄膜形成時と、厚膜化のための追加の成膜時とで、蒸着源の材料を変えて、第１の金属膜部２２ａと第２の金属膜部２２ｂとを異種材料にすることも可能である。
【００４７】
また、第２の金属膜部２２ｂ（透明領域９０）は、赤外線に対する透過性も有する。このため、照明器具１を操作するリモートコントローラの送信信号の受信部を、発光パネル１１における透明領域９０の裏側に設置することで、照明器具１のリモートコントロールが可能となる。あるいは、人感センサーや明るさセンサーなどの受信部も透明領域９０の裏側に設置することができる。
【００４８】
上記受信部を、発光パネル１１の端部よりも外側に設置せずに、発光パネル１１に重なる位置に設置することで、照明器具１全体の平面サイズの小型化を図れる。
【００４９】
第２の電極２２における第１の金属膜部２２ａと第２の金属膜部２２ｂとの平面レイアウトは、図１（ｂ）に示すレイアウトに限らない。
【００５０】
図３（ａ）は、発光パネル１１の他の具体例の模式断面図である。  
図３（ｂ）は、図３（ａ）に示す有機層３０上の第２の電極２２の模式上面図である。
【００５１】
第２の電極２２の相対的に厚い第１の金属膜部２２ａは、有機層３０の外周側に設けられ、その第１の金属膜部２２ａの内側に相対的に薄い第２の金属膜部２２ｂが設けられている。第２の金属膜部２２ｂは、有機層３０の面方向の中央部を含む領域に設けられ、その第２の金属膜部２２ｂの周囲を、第１の金属膜部２２ａが連続して囲んでいる。
【００５２】
あるいは、後述する図４（ｂ）に示す発光パネル１１のように、有機層３０の四角形状の平面領域を半分に分けるように、第１の金属膜部２２ａ（不透明領域８０）と、第２の金属膜部２２ｂ（透明領域９０）とをレイアウトしてもよい。
【００５３】
第２の金属膜部２２ｂが設けられた透明領域９０では、発光層３２から裏面側に向かった光は第２の金属膜部２２ｂを透過し、基板２０側（主光取り出し面側）に反射しない。そこで、第２の金属膜部２２ｂと第１の電極２１との間に印加する電圧を、第１の金属膜部２２ａと第１の電極２１との間に印加する電圧よりも大きくして、透明領域（両面発光領域）９０における主光取り出し面側（基板２０側）への放射光量を補うことが可能である。
【００５４】
第１の金属膜部２２ａと第２の金属膜部２２ｂとを分離させて第２の電極２２をパターニングすることで、透明領域９０と不透明領域８０に異なる電圧を印加することが可能である。
【００５５】
また、第２の電極２２における膜厚は、１段階の変化に限らず、複数段階にわたって変化していてもよい。また、第１の金属膜部２２ａと第２の金属膜部２２ｂとの境界領域の膜厚を連続的に変化、あるいは多段変化させてもよい。この場合、不透明領域８０と透明領域９０との明るさの差を小さくすることが可能である。
【００５６】
（第２実施形態）
図４（ａ）は、第２実施形態の照明器具２の模式図である。  
図４（ｂ）は、第２実施形態の照明器具２の模式平面図である。
【００５７】
第２実施形態の照明器具２は、タイル状に配列された複数の第１の発光パネル１１及び複数の第２の発光パネル１２を有する。複数の第１の発光パネル１１及び複数の第２の発光パネル１２は、器具本体４０に保持されている。
【００５８】
例えば、図４（ａ）において上側に天井面が位置する。照明器具２は、第１の発光パネル１１及び第２の発光パネル１２を天井面の反対側の下方に向けた状態で、器具本体４０を介して天井面に取り付けられる。
【００５９】
図４（ｂ）において、不透明領域をクロスハッチングで表す。
【００６０】
第１の発光パネル１１は、前述した第１実施形態の発光パネル１１と同じ構造である。ただし、第２実施形態の第１の発光パネル１１においては、有機層３０の四角形状の平面領域を半分に分けるように、第１の金属膜部２２ａ（不透明領域８０）と、第２の金属膜部２２ｂ（透明領域９０）とがレイアウトされている。
【００６１】
第２の発光パネル１２も、有機エレクトロルミネッセンスを利用したＯＬＥＤ構造を有する発光パネルである。すなわち、第２の発光パネル１２は、発光層を含む有機層を第１の電極と第２の電極とで挟んだ構造を有する。
【００６２】
第２の発光パネル１２において、第１の電極は第１の発光パネル１１と同様に透明基板側に設けられ、透明である。第２の電極は、金属膜である。その第２の電極は、有機層の上面上の全領域にわたって十分な厚さを有し不透明となっている。すなわち、第２の発光パネル１２は、有機層における第２の電極が設けられた裏面側が不透明な片面発光型の不透明発光パネルである。
【００６３】
第１の発光パネル１１及び第２の発光パネル１２ともに、第１の電極側（基板側）を主光取り出し面とし、その反対側の裏面側（第２電極側）に器具本体４０が設けられている。
【００６４】
図４（ｂ）に示すように、複数の第１の発光パネル１１及び複数の第２の発光パネル１２がタイル状に組み合わされて形成される発光面は例えば矩形状に形成されている。その発光面の短手方向の両端に第１の発光パネル１１が配置され、その第１の発光パネル１１は発光面の長手方向に沿って配列されている。第２の発光パネル１２は、短手方向において両端の第１の発光パネル１１の間に配置されている。
【００６５】
第１の発光パネル１１は、透明領域９０を上記短手方向の外側に向けている。第１の発光パネル１１における不透明領域８０は、不透明片面発光パネルである第２の発光パネル１２に隣接している。そして、第１の発光パネル１１の不透明領域８０と、第２の発光パネル１２とが組み合わされて、図４（ｂ）においてクロスハッチングで示す不透明領域８０が形成されている。
【００６６】
照明器具２全体において、発光面の短手方向の両端に透明領域９０（両面発光領域）が配置され、その両端の透明領域９０の間に不透明領域８０（片面発光領域）が広がっている。
【００６７】
器具本体４０は、不透明領域８０に重なって設けられている。器具本体４０の外形サイズは、不透明領域８０内に収まる大きさであり、器具本体４０は透明領域９０には重なっていない。あるいは、器具本体４０の一部が不透明領域８０から透明領域９０側にはみ出していてもよい。いずれにしても、透明領域９０の少なくとも一部は器具本体４０に覆われず、透明領域９０から裏面側（天井側）に光を取り出すことができる。
【００６８】
透明領域９０においては、第１実施形態と同様、発光層３２から第２の電極２２側に向かった光の一部は、第２の金属膜部２２ｂを透過して天井面側に取り出される。このとき、器具本体４０は、透明領域９０を覆っていないため、天井面側に向かった光は器具本体４０に遮られない。
【００６９】
したがって、第２実施形態によれば、照明器具２の裏面側に別の光源を設置せずに、裏面側に光を出すことができ、天井面などの設置面を照らすことができる。
【００７０】
また、不透明領域８０では、裏面側（天井側）に向かった光が第２の電極で反射して、第１の電極側の主光取り出し面から取り出される。
【００７１】
したがって、第２実施形態によれば、主光取り出し面側への放射光量の低下を抑えつつ、天井面などの設置面側も照らすことが可能となる。
【００７２】
また、透明領域９０は、赤外線に対する透過性も有する。このため、照明器具２を操作するリモートコントローラの送信信号の受信部を、透明領域９０の裏側に設置することで、照明器具２のリモートコントロールが可能となる。あるいは、人感センサーや明るさセンサーなどの受信部も透明領域９０の裏側に設置することができる。
【００７３】
上記受信部を、発光パネルの端部よりも外側に設置せずに、発光パネルに重なる位置に設置することで、照明器具２全体の平面サイズの小型化を図れる。
【００７４】
（第３実施形態）
図５（ａ）は、第３実施形態の照明器具３の模式図である。  
図５（ｂ）は、第３実施形態の照明器具３の模式平面図である。
【００７５】
第３実施形態の照明器具３は、タイル状に配列された複数の透明発光パネル１３及び複数の不透明発光パネル１２を有する。複数の透明発光パネル１３及び複数の不透明発光パネル１２は、器具本体４０に保持されている。
【００７６】
例えば、図５（ａ）において上側に天井面が位置する。照明器具３は、透明発光パネル１３及び不透明発光パネル１２を天井面の反対側の下方に向けた状態で、器具本体４０を介して天井面に取り付けられる。
【００７７】
透明発光パネル１３及び不透明発光パネル１２は、有機エレクトロルミネッセンスを利用したＯＬＥＤ構造を有する発光パネルである。すなわち、透明発光パネル１３及び不透明発光パネル１２は、発光層を含む有機層を第１の電極と第２の電極とで挟んだ構造を有する。
【００７８】
透明発光パネル１３及び不透明発光パネル１２において、第１の電極は第１実施形態の発光パネル１１と同様に透明基板側に設けられ、透明である。
【００７９】
透明発光パネル１３において、第２の電極は、透明電極である。あるいは、第２電極は、第１実施形態の発光パネル１１の第２の金属膜部２２ｂと同様に、光透過性を有する薄い金属膜である。すなわち、透明発光パネル１３は、有機層の両面側が透明な両面発光パネルである。
【００８０】
不透明発光パネル１２において、第２の電極は、金属膜である。その第２の電極は、有機層の上面上の全領域にわたって十分な厚さを有し不透明となっている。すなわち、不透明発光パネル１２は、有機層における第２の電極が設けられた裏面側が不透明な片面発光型の不透明発光パネルである。
【００８１】
透明発光パネル１３及び不透明発光パネル１２ともに、第１の電極側（基板側）を主光取り出し面とし、その反対側の裏面側（第２電極側）に器具本体４０が設けられている。
【００８２】
図５（ｂ）に示すように、複数の透明発光パネル１３及び複数の不透明発光パネル１２がタイル状に組み合わされて形成される発光面は例えば矩形状に形成されている。その発光面の短手方向の両端に透明発光パネル１３が配置され、その透明発光パネル１３は発光面の長手方向に沿って配列されている。不透明発光パネル１２は、短手方向において両端の透明発光パネル１３の間に配置されている。
【００８３】
不透明発光パネル１２が配列された領域は、図５（ｂ）においてクロスハッチングで示す不透明領域８０である。
【００８４】
照明器具３全体において、発光面の短手方向の両端に透明発光パネル１３（透明領域９０）が配置され、その両端の透明領域９０の間に不透明領域８０（片面発光領域）が広がっている。
【００８５】
器具本体４０は、不透明領域８０に重なって設けられている。器具本体４０の外形サイズは、不透明領域８０内に収まる大きさであり、器具本体４０は透明領域９０には重なっていない。あるいは、器具本体４０の一部が不透明領域８０から透明領域９０側にはみ出していてもよい。いずれにしても、透明領域９０の少なくとも一部は器具本体４０に覆われず、透明領域９０から裏面側（天井側）に光を取り出すことができる。
【００８６】
透明領域９０においては、発光層から第２の電極側に向かった光は、第２の電極を透過して天井面側に取り出される。このとき、器具本体４０は、透明領域９０を覆っていないため、天井面側に向かった光は器具本体４０に遮られない。
【００８７】
したがって、第３実施形態によれば、照明器具３の裏面側に別の光源を設置せずに、裏面側に光を出すことができ、天井面などの設置面を照らすことができる。
【００８８】
また、不透明領域８０では、裏面側（天井側）に向かった光が第２の電極で反射して、第１の電極側の主光取り出し面から取り出される。
【００８９】
したがって、第３実施形態によれば、主光取り出し面側への放射光量の低下を抑えつつ、天井面などの設置面側も照らすことが可能となる。
【００９０】
また、透明領域９０は、赤外線に対する透過性も有する。このため、照明器具３を操作するリモートコントローラの送信信号の受信部を、透明領域９０の裏側に設置することで、照明器具３のリモートコントロールが可能となる。あるいは、人感センサーや明るさセンサーなどの受信部も透明領域９０の裏側に設置することができる。
【００９１】
上記受信部を、発光パネルの端部よりも外側に設置せずに、発光パネルに重なる位置に設置することで、照明器具３全体の平面サイズの小型化を図れる。
【００９２】
（第４実施形態）
図６（ａ）は、第４実施形態の照明器具４の模式図である。  
図６（ｂ）は、第４実施形態の照明器具４の模式平面図である。
【００９３】
第４実施形態の照明器具４は、タイル状に配列された複数の不透明発光パネル１２と、少なくとも１枚の透明発光パネル１４を有する。不透明発光パネル１２及び透明発光パネル１４は、器具本体４０に保持されている。
【００９４】
例えば、図６（ａ）において上側に天井面が位置する。照明器具４は、不透明発光パネル１２及び透明発光パネル１４を天井面の反対側の下方に向けた状態で、器具本体４０を介して天井面に取り付けられる。
【００９５】
不透明発光パネル１２及び透明発光パネル１４は、有機エレクトロルミネッセンスを利用したＯＬＥＤ構造を有する発光パネルである。
【００９６】
不透明発光パネル１２は、上記実施形態の不透明発光パネルと同じ構造である。すなわち、不透明発光パネル１２において、第１の電極は透明基板側に設けられ、透明である。第２の電極は、金属膜である。その第２の電極は、有機層の上面上の全領域にわたって十分な厚さを有し不透明となっている。すなわち、不透明発光パネル１２は、有機層における第２の電極が設けられた裏面側が不透明な片面発光型の不透明発光パネルである。
【００９７】
図７は、透明発光パネル１４の模式断面図である。透明発光パネル１４は、以下に説明するように、片面発光でありながら、透過性を有する。
【００９８】
ガラス基板または樹脂基板などの透明基板２０上に第１の電極２１が設けられている。第１の電極２１は、ＩＴＯやＩＺＯなどの透明電極である。その第１の電極２１上に、有機層３０が設けられている。
【００９９】
有機層３０は、第１の電極２１上に設けられた正孔輸送層３１と、正孔輸送層３１上に設けられた発光層３２と、発光層３２上に設けられた電子輸送層３３とを有する。
【０１００】
有機層３０の上面上（電子輸送層３３上）には、第２の電極５２が設けられている。第２の電極５２は、発光層３２の発光光に対して不透明な金属電極である。第２の電極５２は、図７において紙面を貫く方向に延びる線状に形成されている。その線状の複数本の第２の電極５２が互いに間隔を隔てて有機層３０上に配列されている。
【０１０１】
発光層３２は、第１の電極２１と、線状の第２の電極５２とで挟まれた領域で発光する。第１の電極２１と第２の電極５２との間で発光し、第２の電極５２側に向かった光は第２の電極５２で反射して基板２０側に取り出される。また、第２の電極５２が設けられていない領域（隣り合う第２の電極５２間の領域）では発光しない。したがって、図７の発光パネルは片面発光パネルである。
【０１０２】
また、有機層３０における裏面（図７における上面）側において第２の電極５２が設けられていない部分は光透過性を有し透明である。したがって、リモートコントローラの送信信号、人感センサーや光センサーの検知対象光は、基板２０側から裏面側に透過することができる。
【０１０３】
すなわち、透明発光パネル１４の裏面側に配置された各種受信部は、透明発光パネル１４を通して外部情報を受信することができる。
【０１０４】
不透明発光パネル１２及び透明発光パネル１４ともに、第１の電極側（基板側）を光取り出し面とし、その反対側の裏面側（第２電極側）に器具本体４０が設けられている。
【０１０５】
図６（ｂ）に示すように、複数の不透明発光パネル１２と、１枚の透明発光パネル１４とがタイル状に組み合わされて、全体として例えば矩形状の発光面が形成される。
【０１０６】
複数の不透明発光パネル１２が配置された領域は、図６（ｂ）においてクロスハッチングで示す不透明領域となる。その不透明領域では、発光層から裏面側（天井側）に向かった光は、第２の電極で反射して、第１の電極側の光取り出し面から取り出される。
【０１０７】
透明発光パネル１４が配置された領域は、例えば、赤外線、可視光などに対する透過性を有する透明領域である。例えば、照明器具４を操作するリモートコントローラの送信信号の受信部４５が、透明発光パネル１４の裏側に設置されている。その受信部４５に対して、照明器具４の下方から透明発光パネル１４を透過させてリモートコントローラの送信信号を送ることができる。
特に、本実施形態では、受信部４５は片側発光でありながら、透過性を有する透明発光パネル１４の裏面側に配置されているため、受信部にとっては非常に望ましい配置である。つまり、透明発光パネル１４は、非点灯時は透明、点灯時は光取り出し側である表面側には光が照射されるが、器具本体４０側である裏面側には光が照射されないパネルであるため、受信部４５には透明発光パネル１４の光は照射されず、その光によって受信部４５の赤外線等の受信感度が低下したり、受信部４５が劣化したりすることを抑制できる。また、光量の損失を抑制できる。
【０１０８】
あるいは、受信部４５として、人感センサーや明るさセンサーなどの受信部も透明発光パネル１４の裏側に設置することができる。人感センサーや明るさセンサーなどの受信部４５は、透明発光パネル１４を通して、照明器具４の下方側の人や明るさを検知することができる。
【０１０９】
各種受信部４５を、発光パネルの配列領域よりも外側に設置せずに、発光パネルに重なる位置に設置することで、照明器具４全体の平面サイズの小型化を図れる。特に、受信部４５を器具本体４０の領域内に設け、透明発光パネル１４も受信部４５の位置に合わせて、少なくとも一部が器具本体４０の領域内に位置するように設けることが望ましい。
【０１１０】
第４実施形態によれば、発光面の大部分は片面発光の不透明領域であり、発光層から裏面側に向かった光は第２の電極で反射される。すなわち、不透明領域では裏面側への発光光を下方にも導出でき、効率がよい。その上で、一部を透明領域とすることで、受信部４５を発光パネルの裏側に配置しても、受信部４５はパネル下方の外部情報を受信（検知）可能となる。
【０１１１】
複数のパネルを組み合わせた前述した実施形態の照明器具において、片側透過パネル、両側透過パネルおよび不透過パネルの全てを組み合わせてもよい。
【０１１２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１３】
１，２，３，４…照明器具、１１…発光パネル（第１の発光パネル）、１２…不透明発光パネル（第２の発光パネル）、１３…透明発光パネル、１４…透明片面発光パネル、２０…基板、２１…第１の電極、２２…第２の電極、２２ａ…第１の金属膜部、２２ｂ…第２の金属膜部、２４…封止部材、３０…有機層、３２…発光層、４０…器具本体、４５…受信部、５２…第２の電極、８０…不透明領域、９０…透明領域
【図１】
2015012155.tif 000003
【図２】
2015012155.tif 000004
【図３】
2015012155.tif 000005
【図４】
2015012155.tif 000006
【図５】
2015012155.tif 000007
【図６】
2015012155.tif 000008
【図７】
2015012155.tif 000009
【図８】
2015012155.tif 000010